(57)【要約】【課題】キャビネット本体内における洗面ボウル周辺のスペースに背の高い物品を収納することが可能なキャビネットを提供する。【解決手段】本発明のキャビネット２は、キャビネット本体６と、このキャビネット本体６の上面に設けられた洗面ボウル９とを備え、キャビネット本体６が、洗面ボウル９の前方を覆う幕板１４を備えている。キャビネット２は、幕板１４の下部側を支点として当該幕板１４を前後方向に揺動可能に支持する支持部４０，４２と、幕板１４の後面に取り付けられた収納容器１６とを備えている。収納容器１６は、幕板１４の下端よりも下方に位置する底壁部３０と、幕板１４の前方揺動によって洗面ボウル９の前方に露出する上端開口部３３Ａ，３３Ｂとを有する。【選択図】  図７
2010227345.tif 000002
【特許請求の範囲】
【請求項１】
内部に収納空間を有するキャビネット本体と、このキャビネット本体の上面に設けられた水槽とを備え、前記キャビネット本体が、前記水槽の前方を覆う幕板を備えているキャビネットであって、
前記幕板の下部側を支点として当該幕板を前後方向に揺動可能に支持する支持部と、
前記幕板の後面に設けられた収納容器とを備え、
前記収納容器が、前記幕板の下端よりも下方に位置する底壁部と、前記幕板の前方揺動によって前記水槽の前方に露出する上端開口部とを有していることを特徴とするキャビネット。
【請求項２】
前記収納容器が、前記キャビネット本体内における前記水槽の左右方向一側部又は両側部の周辺スペースに配置されている請求項１に記載のキャビネット。
【請求項３】
前記幕板の後面に設けられた第２の収納容器をさらに備え、この第２の収納容器は、前記収納容器よりも奥行き寸法が小さく、前記キャビネット本体内における前記水槽の前方スペースに配置されるとともに、前記幕板の前方揺動によって前記水槽の前方に露出する上端開口部を有している請求項２に記載のキャビネット。
【請求項４】
前記収納容器が、前記キャビネット本体内の左右方向の幅全体、又は前記水槽の左右方向の幅全体に亘って設けられていることを特徴とする請求項１に記載のキャビネット。
【請求項５】
前記収納容器が前記幕板に着脱可能に取り付けられている請求項１〜４のいずれかに記載のキャビネット。
【発明の詳細な説明】
【技術分野】
【０００１】
本発明は、洗面所やキッチンに設置され、洗面ボウルやシンク等の水槽を備えたキャビネットに関するものである。
【背景技術】
【０００２】
洗面所に設置されるキャビネットとして、内部に収納空間を有するキャビネット本体と、このキャビネット本体の上部に設けられた天板と、この天板に取り付けられた洗面ボウル（水槽）とを備えたものが知られている。このキャビネット本体の前面上部には、洗面ボウルを前方から覆う幕板が設けられ、この幕板の下側にはキャビネット本体内の収納空間を開閉する扉が設けられている。
【０００３】
キャビネット本体は、主として洗面ボウルよりも下方のスペースが収納空間として利用されるが、キャビネット本体の内部には、洗面ボウルの周囲（前後左右）にもスペースが存在している。そのため、下記特許文献１には、洗面ボウルの周囲のスペースをも有効に利用するべく、当該スペースに引出を設ける技術が提案されている。この技術は、キャビネット本体内における洗面ボウルの左右両側方に前後方向に長い引出を前後移動自在に設け、幕板の一部を引出の前板として使用したものである。
【先行技術文献】
【特許文献】
【０００４】
【特許文献１】特許第４１６８９１２号公報
【発明の概要】
【発明が解決しようとする課題】
【０００５】
洗面所で使用される化粧用品には、化粧水等のボトルやヘアスプレー等の缶のように背の高いものがあり、これらは収まりの良さや取り出しやすさ等の観点から立てた状態で収納しておくことが望まれる。
しかし、特許文献１に記載の引出は、前後方向に長く形成することはできても、幕板の上下方向の高さ以上に深く形成することはできず、ボトル等の背の高い容器を立てた状態で収納することができなかった。そのため、この引出に収納することができる化粧用品は、比較的小さいものや、倒した状態で収納しても差し支えのないものに限られていた。
【０００６】
本発明は上記の実情に鑑みてなされたもので、その目的は、洗面ボウル等の水槽の周囲に形成されたスペースに背の高い用品を収納することができるキャビネットを提供することである。
【課題を解決するための手段】
【０００７】
本発明は、内部に収納空間を有するキャビネット本体と、このキャビネット本体の上面に設けられた水槽とを備え、キャビネット本体が、水槽の前方を覆う幕板を備えているキャビネットであって、幕板の下部側を支点として当該幕板を前後方向に揺動可能に支持する支持部と、幕板の後面に設けられた収納容器とを備え、収納容器が、幕板の下端よりも下方に位置する底壁部と、幕板の前方揺動によって水槽の前方に露出する上端開口部とを有していることを特徴とする。
【０００８】
本発明のキャビネットは、幕板が下部側を支点として前後方向に揺動可能とされ、この幕板の前方揺動によって収納容器の上端開口部が水槽の前方に露出するように構成されているので、収納容器の深さを幕板の上下幅に限定されることなく設定することができる。そして、本発明の収納容器は、幕板の下端よりも下方に位置する底壁部を有しているので、化粧水等のボトルやスプレー缶等の背の高い用品を立てた状態でも収納することが可能となる。
【０００９】
収納容器は、キャビネット本体内における水槽の左右方向一側部又は両側部の周辺スペースに配置されていることが好ましい。水槽の左右方向側部の周辺には比較的広いスペースが設けられるため、このスペースに収納容器を設けることによって当該収納容器の容量を増大することができる。
また、収納容器は、キャビネット本体内における水槽の左右一方の側部の周辺スペースのみに配置されていてもよいが、水槽の左右方向両側部の周辺スペースにそれぞれ配置されていてもよい。水槽の左右両側部の周辺スペースに収納容器を設けることでキャビネットの収納量を増大することができる。
【００１０】
キャビネットは、幕板の後面に設けられた第２の収納容器をさらに備えていてもよく、この第２の収納容器は、前記収納容器よりも奥行き寸法が小さく、前記キャビネット本体内における水槽の前方スペースに配置されるとともに、幕板の前方揺動によって水槽の前方に露出する上端開口部を有していることが好ましい。この構成によって、水槽の左右方向側部の周辺よりも比較的奥行き方向のスペースが狭い水槽の前方スペースをも有効利用して物品を収納することが可能となる。
【００１１】
また、前記収納容器は、前記キャビネット本体内の左右方向の幅全体、又は前記水槽の左右方向の幅全体に亘って設けられていてもよい。このようにすれば、キャビネット内のスペースをより広く有効に利用することができる。
【００１２】
収納容器は、幕板に着脱可能に取り付けられていてもよい。このような構成によって、収納容器が汚れたときには取り外して洗浄することが可能となる。
【発明の効果】
【００１３】
本発明のキャビネットによれば、洗面ボウル等の水槽の周囲のスペースに背の高い用品を収納することができる。
【図面の簡単な説明】
【００１４】
【図１】本発明の実施形態に係るキャビネットの概略的な斜視図である。
【図２】同キャビネットの概略的な斜視図である。
【図３】キャビネットの内部を示す正面図である。
【図４】キャビネットの側面図（一部断面図）である。
【図５】（ａ）は、第１収納容器の正面図、（ｂ）は（ａ）のＡ−Ａ断面図である。
【図６】（ａ）は、第２収納容器の正面図、（ｂ）は（ａ）のＢ−Ｂ断面図である。
【図７】幕板及び第１，第２収納容器を拡大して示す断面図である。
【図８】幕板及び第１，第２収納容器を拡大して示す断面図である。
【図９】本発明の他の実施形態に係るキャビネットの概略的な斜視図である。
【発明を実施するための形態】
【００１５】
次に本発明を実施するための形態について図面を参照して説明する。
図１は本発明の実施形態に係るキャビネットの概略的な斜視図である。キャビネット２は、内部に収納空間が形成され、前面に収納空間を開閉する開き扉４が設けられたキャビネット本体６と、このキャビネット本体６の上部に設けられた天板８と、この天板８に設けられた洗面ボウル（水槽）９とを備えている。
【００１６】
開き扉４は、左右２枚設けられ、各開き扉４は、左右外側の一側部がキャビネット本体６の左右側壁１０の前端部にヒンジ（図示略）を介して回動可能に支持されている。各開き扉４の前面上部には取っ手１２が取り付けられている。
【００１７】
キャビネット本体６の前面であって開き扉４の上側には幕板１４が設けられており、この幕板１４は、キャビネット本体６内において洗面ボウル９が前方に露出しないように、当該洗面ボウル９を前方から覆っている。幕板１４は、キャビネット本体６の全幅に亘る左右方向の幅と、洗面ボウル９を前方から覆うことが可能な上下方向の幅とを有している。したがって、幕板１４は、左右方向に細長い長方形の帯板状に形成されている。
また、図２に示すように、幕板１４は、上部側を前方に倒すように揺動させることによって開くことが可能となっている。幕板１４の後面には、幕板１４を開いたときに、洗面ボウル９の前側に露出する第１収納容器１６および第２収納容器１８が設けられている。
【００１８】
以下、洗面ボウル９および収納容器１６，１８についてより詳細に説明する。
図３は、キャビネット２の内部を示す正面図である。同図において、開き扉４や幕板１４は２点鎖線で示してある。また、図４は、キャビネット２の側面図（一部断面図）である。図３に示すように、洗面ボウル９は、左右方向外端部から左右方向中央へ向けて漸次深くなるように形成されている。また、図４に示すように、洗面ボウル９は、前端部から後側へ向けて漸次深くなるように形成され、後部側が最も深く形成されている。なお、キャビネット本体６の前部には、幕板１４と開き扉４との境界部分に沿うように左右側壁１０に亘って横桟２０が架設されている。
【００１９】
図３に示すように、第１収納容器１６は、洗面ボウル９の左右両側部の周辺スペース、具体的には、洗面ボウル９の左右両側の浅く形成された部分の下方、およびそれよりも左右外方に位置するように２つ設けられている。各第１収納容器１６は、それぞれ正面視で横桟２０を上下に跨ぐように配置されている。また、各第１収納容器１６は、図４の側面視において、洗面ボウル９の前部側の浅く形成された部分の下方に位置するように設けられている。
【００２０】
図５（ａ）は、第１収納容器１６の正面図であり、図５（ｂ）は（ａ）のＡ−Ａ断面図である。第１収納容器１６は、前部側の小容器２２と、後部側の大容器２４とから構成されている。小容器２２は、底壁部２６及び周壁部２７を備え、上端に開口部３３Ａを備えた箱型に形成されている。また、大容器２４は、底壁部３０及び周壁部３１を備え、上端に開口部３３Ｂを備えた箱型に形成されている。小容器２２は、横桟２０の上側に配置され、幕板１４の上下幅内に収まる深さに形成されている。大容器２４は、小容器２２および横桟２０の後側に配置されている。大容器２４は、小容器２２よりも深く形成され、その底壁部３０が幕板１４の下端よりも下方に位置している。また、大容器２４は、小容器２２よりも前後方向の幅が大きく形成されている。第１収納容器１６の上端開口部３３Ａ，３３Ｂの周縁は、幕板１４の開放時に洗面ボウル９との干渉を避けるため、後下がり状に傾斜している。
【００２１】
図３に示すように、第２収納容器１８は、洗面ボウル９の左右中央部の前方スペースであって、横桟２０の上側に配置されている。また、第２収納容器１８は、左右の第１収納容器１６の間に配置され、左右の第１収納容器１６の間隔を埋め尽くす程度の左右方向の長さを有している。第１収納容器１６と第２収納容器１８との上端位置はほぼ同位置とされている。但し、第１収納容器１６と第２収納容器１８の上端位置は、互いに異なっていてもよく、洗面ボウル９との位置関係等に応じて適宜設定することができる。例えば、本実施形態の場合、第１収納容器１６の後方において洗面ボウル９が浅くなっているので、この第１収納容器１６の上端位置を第２収納容器１８よりも高くすることができる。
【００２２】
図６（ａ）は、第２収納容器１８の正面図であり、図６（ｂ）は（ａ）のＢ−Ｂ断面図である。第２収納容器１８は、底壁部３４及び周壁部３５を備え、上端に開口部３６を備えた箱型に形成されている。また、第２収納容器１８は、幕板１４の上下幅内に収まる深さに形成されている。第２収納容器１８の前後方向の幅は、第１収納容器１６の小容器２２の前後方向の幅よりも若干大きく形成されている。
【００２３】
図７および図８は、幕板１４及び第１，第２収納容器１６，１８を拡大して示す断面図であり、特に図７は幕板１４を閉じた状態、図８は幕板１４を開いた状態を示している。第１収納容器１６及び第２収納容器１８の前面には、下向きのフック形状に形成された係合部３７が突設されている（図５及び図６も参照）。また、幕板１４の後面には、係合部３７を挿入可能な凹溝状の被係合部３８が設けられている。この係合部３７と被係合部３８との係合によって、第１，第２収納容器１６，１８が幕板１４に対して着脱可能に取り付けられている。
【００２４】
幕板１４の左右方向両側の下部側は、キャビネット本体６の横桟２０にヒンジ４０を介して取り付けられている。また、幕板１４の左右方向両側の上部側は、キャビネット本体６の左右側壁１０に支持リンク４２を介して支持されている。幕板１４は、ヒンジ４０によって下部側を支点として前後に揺動（回動）可能であり、図８に示すように、幕板１４を前方に揺動することによって、第１，第２収納容器１６，１８の上端開口部３３Ａ，３３Ｂ，３６が洗面ボウル９の前方に露出し、前斜め上方に向けて開放されるようになっている。支持リンク４２は、幕板１４の前後揺動に追従して屈伸し、幕板１４の前方への揺動量を所定に規制している。ここに、ヒンジ４０および支持リンク４２は、幕板１４を揺動可能に支持する支持部を構成している。
【００２５】
以上説明したように、本実施形態のキャビネット２は、幕板１４が下部側を支点として前後に揺動可能であり、幕板１４を前方に揺動することによって第１，第２収納容器１６，１８の上端開口部３３，３６が洗面ボウル９の前方に露出されるので、従来（特許文献１参照）の引出のように、幕板１４の上下幅に限定されることなく第１収納容器１６の深さを設定することができる。そして、第１収納容器１６の大容器２４は、底壁部３０が幕板１４の下端よりも下方に位置するように深く形成されているので、化粧水等のボトルやヘアスプレー等の缶のように背の高い化粧用品５０を収納することができる。
また、第１収納容器１６の小容器２２は、大容器２４よりも浅く前後幅も小さく形成されているので背の低い容器に入った化粧品５１や、ヘアピン等の小物を収納するのに適している。
第２収納容器１８は、第１収納容器１６の大容器２４よりも浅く前後幅も小さく形成されているので、小容器２２と同様に、背の低い容器に入った化粧用品やヘアピン等の小物を収納するのに適している。また、第２収納容器１８は、小容器２２よりも左右方向の幅が長く形成されているので、ヘアブラシ等の細長い化粧用品の収容にも適している。
【００２６】
幕板１４の後側には横桟２０が設けられているため、少なくとも横桟２０の厚さの分だけ幕板１４から後方に離れた位置にしか深い収納容器（大容器２４）を配置することができないが、本実施形態の第１収納容器１６は、幕板１４と大容器２４との間に浅い小容器２２を備えているので、幕板１４と大容器２４との間の狭いスペースを小物用の収納部として有効に活用することができる。
【００２７】
キャビネット本体６内において、洗面ボウル９の左右両側部の周辺には、左右中央の周辺よりも広いスペースが形成されているため、この広いスペースに第１収納容器１６を配置することで当該第１収納容器１６の容量を大きくすることができる。また、第１収納容器１６の小容器２２及び第２収納容器１８は、キャビネット本体６の左右方向の広範囲に亘って小物用の収納部分を形成しているので、洗面ボウル９の前方のスペースを無駄なく利用することができる。
【００２８】
第１，第２収納容器１６，１８は、幕板１４に対して着脱可能とされているので、第１，第２収納容器１６，１８が汚れたときには幕板１４から取り外すことによって容易に洗浄することができる。
【００２９】
本発明は、上記実施形態に限定されることなく適宜設計変更可能である。
第１収納容器１６は、洗面ボウル９の形状や、洗面ボウル９とキャビネット本体６の左右側壁１０との間隔に応じて形状や配置を適宜変更することができる。例えば、洗面ボウル９が、左右一側部において浅く、左右他側部に向けて漸次深くなるように形成されている場合には、当該一側部側のみに第１収納容器１６を設けてもよい。また、洗面ボウルの左右一側部近傍に第１収納容器１６を設け、左右他側部には従来技術のような引出タイプの収納容器を設けてもよい。
【００３０】
幕板１４は、図９に示すように、第１，第２収納容器１６，１８が取り付けられた部分を個別に開閉できるように左右方向に分割されていてもよい。
本発明は、洗面ボウルを備えたキャビネットに限定されず、例えば、キッチンに設置されるシンクを備えたキャビネットにも適用することができる。
また、上記実施形態では、第１収納容器１６と第２収納容器１８との２種類の別体の収納容器を備えているが、キャビネット本体６内の左右方向の幅全体、又は、洗面ボウル９の左右方向の幅全体に亘る長さの１つの収納容器を備えた構成とすることも可能である。この場合、収納容器は、洗面ボウル９の前方スペースにおいては、奥行き寸法を小さくしなければならないが、深さを深くすることができるので、細長い用品や薄い用品（例えば、キッチンで使用するまな板や包丁など）を収納するのに適している。
【符号の説明】
【００３１】
２      キャビネット
６      キャビネット本体
１４      幕板
１６      第１収納容器
１８      第２収納容器
３０      底壁部
３３Ａ      第１収納容器の上端開口部
３３Ｂ      第１収納容器の上端開口部
３６      第２収納容器の上端開口部
４０      ヒンジ（支持部）
４２      支持リンク（支持部）
【図１】
2010227345.tif 000003
【図２】
2010227345.tif 000004
【図３】
2010227345.tif 000005
【図４】
2010227345.tif 000006
【図５】
2010227345.tif 000007
【図６】
2010227345.tif 000008
【図７】
2010227345.tif 000009
【図８】
2010227345.tif 000010
【図９】
2010227345.tif 000011